(57)【要約】【課題】本発明は、さまざまな花の茎を挿し入れた穴と前記茎の当接面にて花全体を支えるため、花一本でもピンと立つ状態となり、間違って手をけがをすることがなく、花の先端部の細胞を傷めることがないため，水揚げ性能を損なうことがなく、簡単に花全体のバランスを取ることができ、花の倒れにくい剣山用器具を得るにある。【解決手段】台座と、この台座の上部に筒状の支柱と円形もしくは非円形に形成された収納体とが形成され、前記収納体にさまざまな花の茎が挿通可能な穴を少なくとも１ヶ所が形成された剣山用器具を構成している。【選択図】図１
2009153954.tif 000002
【特許請求の範囲】
【請求項１】
台座と、この台座の上部に筒状の支柱と円形もしくは非円形に形成された収納体とが形成され、前記収納体にさまざまな花の茎が挿通可能な穴を少なくとも１ヶ所が形成され備えてなることを特徴とする剣山用器具。
【請求項２】
台座と、この台座の上部に筒状の支柱と円形もしくは非円形に形成された収納体とが形成され、前記収納体にさまざまな花の茎が挿通可能な穴を少なくとも１ヶ所が形成され、前記支柱を銅部材にて形成するかもしくは前記支柱の外部に銅部材を形成し備えてなることを特徴とする剣山用器具。
【発明の詳細な説明】
【技術分野】
【０００１】    本発明はさまざまな花の茎を挿し入れた穴と前記茎の当接面にて花全体を支えるため、花一本でもピンと立つ状態となり、間違って手をけがすることがなく、花の先端部の細胞をいためることがないため、水揚げ性能を損なう事がなく、簡単に花全体のバランスを取ることができ、花の倒れにくい剣山用器具に関する。
【背景技術】
【０００２】    従来、剣山用器具は、台座上に針を林立させた器具でそれらの針にさまざま花の茎の先端部を刺し立てて用いることが考えられている。【０００３】    しかしながら、従来の剣山の針に花の先端部を挿し入れるとき、間違えて手に刺してけがをしたり、花の先端部の細胞を壊すため水揚げが上手く行かなかったり、又、花全体を剣山の針で支えるため、花全体のバランスが取り難く倒れやすいと言うことが有り多くの欠点があった。
【特許文献１】    特開  ２００３−３２５２８９
【特許文献２】    特開  ２００７−４４３６６
【発明の開示】
【発明が解決しようとする課題】
【０００４】    本発明は以上のような従来の欠点に鑑み、さまざまな花の茎を収納体に形成された穴に挿し入れて使用するため、前記花の茎と前記穴の当接面にて花全体を支えることができるため、花一本でもピンと立つ状態となり、簡単に花全体のバランスを取ることができ、花が倒れにくく、しかも間違って手などを怪我することがなく、更に、茎の先端部の細胞を傷めることがないため、水揚げ性能を損なうことがなく花持ちがし提供することを目的としている。【０００５】    本発明の前記ならびにそのほかの目的と新規な特徴は次の説明を添付図面と照らし合わせて読むと、より完全に明らかになるだろう。
ただし、図面はもっぱら解説のためのものであって、本発明の技術的範囲を限定するものではない。
【課題を解決するための手段】
【０００６】    上記目的を達成するために、台座と、この台座の上部に筒状の支柱と円形もしくは非円形に形成された収納体とが形成され、前記収納体にさまざまな花の茎が挿通可能な穴を少なくとも１ヶ所が形成された剣山用器具を構成している。
【発明の効果】
【０００７】    以上の説明から明らかなように、本発明にあっては次に列挙する効果が得られる。
（１）さまざまな花の茎を収納体に形成された穴に挿し入れて使用することによって花の茎と穴の当接面にて花全体を支えるため、花一本でもピンと立つことができ、花が倒れにくく簡単に花全体のバランスを取ることができる。【０００８】    （２）前記（１）によって、茎の先端部の細胞を傷つけることなく使用することができるので、水揚げ性能を損なうことがなく花持ちがする。【０００９】    （３）前記（１）によって、針などの突起物がないため間違って手などを刺してけがをすることがない。【００１０】    （４）請求項２も前記（１）〜（３）と同様な効果が得られるとともに、銅部材に備わるバクテリアなどの微生物に対する殺菌消毒作用が発揮され、花器内の水の腐敗菌が殺菌消毒され、何時までも鮮度を保ち、長く水を交換する必要がなく、そして茎の先端部のぬめりをも防止することができ、手間のかからぬ花の交換を行なう事ができる。
【発明を実施するための最良の形態】
【００１１】    以下、図面に示す実施するための最良の形態により、本発明を詳細に説明する。【００１２】    図１ないし図８の第１の実施するための最良の形態において、本発明１は、合成樹脂、金属、木製などで一体、固着、溶着などにて構成された剣山用器具で、この剣山用器具１は、台座２と、この台座２上部に円形、四角、多角形などで形成された支柱３と、円形もしくは非円形に形成された収納体４と、この収納体４に１ヶ所もしくは複数個所にさまざまな花５の茎６が挿通可能な穴７を形成する。上記構成の剣山用器具１を使用するにあっては、この剣山用器具１に形成された前記収納体４に形成された前記穴７に、花５の茎６を挿し入れて、これを皿、コップ、花瓶などの花器８に入れ、水を適宜な位置まで注ぎ使用する。【００１３】    上記構成の剣山用器具１は、花５の茎６を収納体４に形成された穴７に挿し入れて使用するため、前記茎６と前記穴７の当接面にて花５全体を支えることができるため、花５一本でもピンと立つ状態となり、簡単に花５全体のバランスを保つことができ、しかも間違って手など怪我をすることがなく、更に、茎の先端部の細胞を傷めることがないため、水揚げ性能を損なうことがなく花持がする。
｛発明を実施するための異なる形態｝【００１４】    次に図９ないし図１２に示す本発明を実施するための異なる形態につき説明する。尚、これらの本発明を実施するための異なる形態の説明に当たって、前記本発明の第１の実施するための最良の形態と同一構成部分には同一符号を付して重複する説明を省略する。【００１５】    図９ないし図１２の本発明の第２の実施するための形態において、前記本発明の第１の実施するための最良の形態と主に異なる点は支柱３もしくは前記支柱３外部に銅線、もしくは銅パイプ、あるいは銅板などを固着、溶着、接着などによって銅部材９を形成した点で、このように形成した剣山用器具１にしても、前記本発明の第１の実施するための最良の形態と同様な作用効果が得られるとともに、前記銅部材９に備わるバクテリアなどの微生物に対する殺菌消毒作用が発揮され、花器８内の水の腐敗菌が殺菌消毒され、何時までも鮮度を保ち、長く水を交換する必要がなく、そして茎６の先端部のぬめりをも防止することができるため、手間のかからぬ花５の交換を行なう事ができる。
【産業上の利用可能性】
【００１６】    本発明は生け花で花を固定するための道具であり、花を活ける産業で利用される。
【図面の簡単な説明】
【００１７】
【図１】本発明を実施するための最良の第１の形態の斜視図
【図２】本発明を実施するための最良の第１の形態の正面図
【図３】本発明を実施するための最良の第１の形態の正面図
【図４】本発明を実施するための最良の第１の形態の正面図
【図５】本発明を実施するための最良の第１の形態の平面図
【図６】本発明を実施するための最良の第１の形態の正面図
【図７】本発明を実施するための最良の第１の形態の正面図
【図８】本発明を実施するための最良の第１の形態の正面図
【図９】本発明を実施するための第２の形態の正面図
【図１０】本発明を実施するための第２の形態の一部断面した正面図
【図１１】本発明を実施するための第２の形態の正面図
【図１２】本発明を実施するための第２の形態の正面図
【符号の説明】
【００１８】１：剣山用器具                        ２：台座
３：支柱                              ４：収納体
５：花                                ６：茎
７：穴                                ８：花器
９：銅部材
【図１】
2009153954.tif 000003
【図２】
2009153954.tif 000004
【図３】
2009153954.tif 000005
【図４】
2009153954.tif 000006
【図５】
2009153954.tif 000007
【図６】
2009153954.tif 000008
【図７】
2009153954.tif 000009
【図８】
2009153954.tif 000010
【図９】
2009153954.tif 000011
【図１０】
2009153954.tif 000012
【図１１】
2009153954.tif 000013
【図１２】
2009153954.tif 000014